(57)【要約】【課題】本発明の課題は、外被を除去する作業や光ファイバ素線を取り出す作業を省略でき、余長収納作業の作業効率を向上することができる余長収納方法及び余長収納用品を提供することにある。【解決手段】本発明は、光ファイバケーブル又は光ファイバコード１６を余長収納用品本体１１に巻き付け、その後、余長収納用品本体１１を余長収納用品容器２１に光ファイバケーブル又は光ファイバコード１６の端部を外部に導出して収納することを特徴とする。【選択図】図３
2009128528.tif 000002
【特許請求の範囲】
【請求項１】
光ファイバケーブル又は光ファイバコードを余長収納用品本体に巻き付ける第１のステップと、
前記第１のステップの後、余長収納用品本体を余長収納用品容器に光ファイバケーブル又は光ファイバコードの端部を外部に導出して収納する第２のステップと
よりなることを特徴とする余長収納方法。
【請求項２】
光ファイバケーブル又は光ファイバコードが巻き付け可能なように少なくとも２本の棒状部材が所定間隔離して設けられた余長収納用品本体と、
前記余長収納用品本体が収納され、光ファイバケーブル又は光ファイバコードが導出可能なスリットが設けられた余長収納用品容器と
を具備することを特徴とする余長収納用品。
【請求項３】
棒状部材として、外周面に複数条の谷部が設けられた棒状部材を用いることを特徴とする請求項２に記載の余長収納用品。
【請求項４】
余長収納用品本体として、２本の棒状部材間で折り曲げ可能に構成した余長収納用品本体を用いることを特徴とする請求項２又は３に記載の余長収納用品。
【請求項５】
光ファイバケーブル又は光ファイバコードが巻き付け可能なように外周に巻き付け用溝が設けられた余長収納用品本体と、
前記余長収納用品本体が伸縮機構を介在して収納され、光ファイバケーブル又は光ファイバコードが導出可能なスリットが設けられた余長収納用品容器と
を具備することを特徴とする余長収納用品。
【請求項６】
伸縮機構として、パンタグラフのように構成された伸縮機構を用いることを特徴とする請求項５に記載の余長収納用品。
【発明の詳細な説明】
【技術分野】
【０００１】
本発明は、光ファイバケーブル又は光ファイバコードの余長収納方法及び余長収納用品に関するものである。
【背景技術】
【０００２】
現在、オフィスビルやマンションビルへの光ファイバケーブル又は光ファイバコードを用いた情報通信のための配線において、光ファイバケーブル又は光ファイバコードを主配電盤や中間配電盤でスプリッタモジュールへ接続するためや他の方面へ分岐処理を行うために、メカニカルスプライス接続や光コネクタ接続、融着接続に必要な光ファイバケーブル又は光ファイバコードの余長を確保することが必要であり、その光ファイバケーブル又は光ファイバコードの余長を収納することを行っている。
【０００３】
そのため、既存の光ファイバケーブル又は光ファイバコードの余長を収納する際には、光ファイバケーブル又は光ファイバコードから光ファイバ素線を取り出して収納することを行っており（例えば、特許文献１参照。）、その作業のために光ファイバケーブル又は光ファイバコードの外被を除去し、その光ファイバケーブル又は光ファイバコードの内部から光ファイバ素線を取り出し、その光ファイバ素線が破損しないような曲げ半径、例えばコアの周囲のクラッドに空孔が設けられたホーリーファイバよりなる光ファイバであるとすると曲げ半径５ｍｍ以上で楕円状に収納する余長収納用品（例えば、特許文献１参照。）や留め具（例えば、特許文献２参照。）を利用した余長収納方法が用いられている。
【０００４】
また、あらかじめ両端に光コネクタが設けられた光ファイバケーブル又は光ファイバコードを用いて配線することはスプリッタモジュールへ接続するためや他の方面へ分岐処理を行う際に、メカニカルスプライス接続や光コネクタ接続、融着接続作業が主配電盤や中間配電盤において必要ではなくなるため作業を容易にすることが可能であり、有用であるが現在これらの両端に光コネクタが設けられた光ファイバケーブル又は光ファイバコードは特に情報通信のための配線に利用されていない。
【０００５】
【特許文献１】特開２００７−１２１３６６号公報
【特許文献２】特開平１０−１２３３３４号公報
【特許文献３】特許第２５９９４３４号公報
【発明の開示】
【発明が解決しようとする課題】
【０００６】
両端に光コネクタが設けられた光ファイバケーブル又は光ファイバコードは情報通信のための配線に利用されていないため、両端に光コネクタが備えられた光ファイバケーブル又は光ファイバコードの余長処理のための余長処理用品は特に存在しない。
【０００７】
また、プレ光ブランチケーブル（例えば、特許文献３参照。）のようにあらかじめ光コネクタが設けられた光ファイバケーブルは実際に利用されているが、この光ファイバケーブルは情報通信のための配線に対して、オフィスビルやマンションビルの寸法を測定し、オフィスビルやマンションビルに合わせて光ファイバケーブルを作成するため、そもそも余長処理の必要がなく、余長処理用品を利用しない。
【０００８】
そこで、両端に光コネクタが備えられた光ファイバケーブル又は光ファイバコードの余長処理のために既存の余長処理用品を利用するには、光ファイバケーブル又は光ファイバコードの外被を除去して、光ファイバ素線を取り出し、取り出した光ファイバ素線を余長処理用品に収納することが必要であり、これは主配電盤や中間配電盤での接続作業を容易にするといった意味で、光コネクタがあらかじめ備えられたことを台無しにし、光コネクタを両端に備えたまま光ファイバ素線をむき出しにして、その光ファイバ素線を収納用品に収納することは収納作業に手間がかかるだけではなく、光ファイバ素線の破損を招く問題点がある。
【０００９】
本発明は上記の事情に鑑みてなされたもので、光ファイバケーブル又は光ファイバコードの外被を除去せずに、そのまま余長を巻き付けて収納する為、外被を除去する作業や光ファイバ素線を取り出す作業を省略でき、余長収納作業の作業効率を向上することができる余長収納方法及び余長収納用品を提供することを目的とする。
【課題を解決するための手段】
【００１０】
上記目的を達成するために本発明の余長収納方法は、光ファイバケーブル又は光ファイバコードを余長収納用品本体に巻き付ける第１のステップと、前記第１のステップの後、余長収納用品本体を余長収納用品容器に光ファイバケーブル又は光ファイバコードの端部を外部に導出して収納する第２のステップとよりなることを特徴とする。
【００１１】
また本発明の余長収納用品は、光ファイバケーブル又は光ファイバコードが巻き付け可能なように少なくとも２本の棒状部材が所定間隔離して設けられた余長収納用品本体と、前記余長収納用品本体が収納され、光ファイバケーブル又は光ファイバコードが導出可能なスリットが設けられた余長収納用品容器とを具備することを特徴とするものである。
【００１２】
また本発明は、前記余長収納用品において、棒状部材として、外周面に複数条の谷部が設けられた棒状部材を用いることを特徴とするものである。
【００１３】
また本発明は、前記余長収納用品において、余長収納用品本体として、２本の棒状部材間で折り曲げ可能に構成した余長収納用品本体を用いることを特徴とするものである。
【００１４】
また本発明の余長収納用品は、光ファイバケーブル又は光ファイバコードが巻き付け可能なように外周に巻き付け用溝が設けられた余長収納用品本体と、前記余長収納用品本体が伸縮機構を介在して収納され、光ファイバケーブル又は光ファイバコードが導出可能なスリットが設けられた余長収納用品容器とを具備することを特徴とするものである。
【００１５】
また本発明は、前記余長収納用品において、伸縮機構として、パンタグラフのように構成された伸縮機構を用いることを特徴とするものである。
【発明の効果】
【００１６】
本発明の余長収納方法及び余長収納用品は、光ファイバケーブル又は光ファイバコードの外被を除去せずに、そのまま余長を巻き付けて収納する為、外被を除去する作業や光ファイバ素線を取り出す作業を省略でき、余長収納作業の作業効率を向上することができる。
【００１７】
特に、両端に光コネクタが設けられた光ファイバケーブル又は光ファイバコードの外被を除去せずに、その余長を収納することが可能になり、情報通信のための配線作業を容易にする両端に光コネクタが設けられた光ファイバケーブル又は光ファイバコードの中間配電盤及び主配電盤における余長収納作業を容易にするとともに、余長収納作業にかかる作業時間を短縮することができる。
【発明を実施するための最良の形態】
【００１８】
以下図面を参照して本発明の実施の形態を詳細に説明する。
図１〜図６は本発明の一実施形態で余長収納用品本体と余長収納用品容器が分離した分離型の余長収納用品であり、図７〜図１１は本発明の他の実施形態で余長収納用品本体と余長収納用品容器が一体の一体型の余長収納用品である。
図１（ａ），（ｂ）は本発明の一実施形態に係る余長収納用品本体を示す構成説明図である。
【００１９】
図１（ａ），（ｂ）において、１１は余長収納用品本体、１２は長方形板よりなる枠、１３は円柱体の棒状部材、１４，１５はストッパ，１６は光ファイバケーブル又は光ファイバコードである。
【００２０】
図１（ａ）に示すように、余長収納用品本体１１は、複数の棒状部材１３を略平行に且つ所定距離離して略等間隔になるように各棒状部材１３の両端を枠１２に固定して構成される。すなわち、梯子形状のように各棒状部材１３が複数段に設けられる。一方の枠１２の下部及び他方の枠１２の上部にはそれぞれストッパ１４，１５が設けられる。尚、ストッパは枠の先端の対角線上に限らず、枠の先端の四隅に少なくとも１つずつ設けてもよい。
【００２１】
図１（ｂ）に示すように、両端に光コネクタが設けられた光ファイバケーブル又は光ファイバコード１６を一方のストッパ１４側から巻き付けはじめる収納方式であり、まず一方のストッパ１４で両端に光コネクタが設けられた光ファイバケーブル又は光ファイバコード１６を保持し、その後、両端に光コネクタが設けられた光ファイバケーブル又は光ファイバコード１６を最外の棒状部材１３と棒状部材１３で巻き付け、余長の分だけ連続して巻き付けた後、他方のストッパ１５において両端に光コネクタが設けられた光ファイバケーブル又は光ファイバコード１６を保持することで、両端に光コネクタが設けられた光ファイバケーブル又は光ファイバコード１６を余長収納用品本体１１に巻き付ける。
【００２２】
前記棒状部材１３は両端に光コネクタが設けられた光ファイバケーブル又は光ファイバコード１６を巻き付けた時に、例えば、光ファイバケーブルの内部に収納された光ファイバ素線がコアの周囲に空孔が設けられたホーリーファイバよりなる光ファイバ素線だとすると、曲げ半径が５ｍｍ以上を確保できる半径を持つ断面が円形の棒状である。
【００２３】
ここで、この曲げ半径は両端に光コネクタが設けられた光ファイバケーブル又は光ファイバコード１６の内部に収納された光ファイバ素線によっては５ｍｍ以上でなくてもかまわない。
【００２４】
図２（ａ），（ｂ）は本発明の一実施形態に係る余長収納用品容器を示す構成説明図である。
【００２５】
図２（ａ），（ｂ）において、２１は余長収納用品容器、２２は挿入口、２３，２４はスリット、２５は容器ストッパ、２６はストッパホルダである。
【００２６】
図２（ａ）に示すように、中空の直方体状に形成された余長収納用品容器２１の一方の側面には余長収納用品本体１１が挿入、脱出可能な挿入口２２が設けられる。前記余長収納用品容器２１の上面及び下面にはそれぞれ光ファイバケーブル又は光ファイバコード１６を取り入れ、又は取り出すための通線可能なスリット２３，２４が前記挿入口２２に連通して設けられる。前記余長収納用品容器２１裏面の挿入口２２近傍には容器ストッパ２５がストッパホルダ２６に保持されて設けられる。
【００２７】
図２（ｂ）は、余長収納用品容器２１の挿入口２２に容器ストッパ２５が折りたたんで押し込まれた状態を示し、この状態では余長収納用品容器２１の挿入口２２から余長収納用品本体１１が脱落するのを防止することができる。
【００２８】
図３（ａ），（ｂ）は本発明の一実施形態に係る余長収納用品を示す構成説明図である。
【００２９】
図３（ａ）に示すように、両端に光コネクタが設けられた光ファイバケーブル又は光ファイバコード１６が余長収納用品本体１１の最外の棒状部材１３と棒状部材１３に余長の分だけ連続して巻き付けられると共にストッパ１４，１５で保持された余長収納用品本体１１は、矢印Ａ方向に移動する余長収納用品容器２１内に挿入口２２から挿入される。この場合、両端に光コネクタが設けられた光ファイバケーブル又は光ファイバコード１６の端部はそれぞれスリット２３から外部に導出されて頭出しされると共にスリット２４から導出される。
【００３０】
図３（ｂ）に示すように、両端に光コネクタが設けられた光ファイバケーブル又は光ファイバコード１６が巻かれた余長収納用品本体１１が余長収納用品容器２１内に挿入されると、容器ストッパ２５を矢印Ｂのように挿入口２２から余長収納用品容器２１内に押し込むことで、余長収納用品本体１１が余長収納用品容器２１から脱出して脱落しないように挿入口２２を封じることができる。
【００３１】
図４は本発明の一実施形態に係る棒状部材を示す構成説明図である。図４において、３１はグリッド部、３２は谷部である。図４に示すように、余長収納用品本体１１の棒状部材１３の外周面には両端に光コネクタが設けられた光ファイバケーブル又は光ファイバコード１６を巻き付けるときに、巻き付けやすいように一定の規則的なピッチで複数条のグリッド部３１が設けられ、前記グリソド部３１とグリッド部３１間にある谷部３２に両端に光コネクタが設けられた光ファイバケーブル又は光ファイバコード１６を巻き付けて収めることが出来る。
【００３２】
図５は本発明の一実施形態に係る余長収納用品本体の具体例を示す構成説明図である。
【００３３】
図５に示すように、この余長収納用品本体１１は例えば、最外の棒状部材１３と棒状部材１３の間隔である距離Ｌ１を１５０ｍｍ、棒状部材１３の長さである距離Ｌ２を５０ｍｍ、棒状部材１３の直径である距離Ｌ３を２０ｍｍとすると両端に光コネクタが設けられた光ファイバケーブル又は光ファイバコード１６を巻き付けた時の巻き付け長さは、３６２．８ｍｍ／回となり、１４回巻きつけたときにおよそ５ｍ程度の余長を収納することが出来る。
【００３４】
図６（ａ），（ｂ）は本発明の一実施形態に係る余長収納用品本体の他の例を示す構成説明図である。図６（ａ），（ｂ）において、４１は可動部、４２は境界である。
【００３５】
図６（ａ）に示すように、余長収納用品本体１１の枠１２，１２は中央部の境界４２で２分割されると共に、枠１２，１２は境界４２の一部で可動部４１により連結されている。
【００３６】
図６（ｂ）に示すように、余長収納用品本体１１の枠１２，１２は矢印Ｃ方向に押すことにより、２本の棒状部材１３，１３間の可動部４１で回転するようにして折り曲げられるため、両端に光コネクタが設けられた光ファイバケーブル又は光ファイバコード１６を巻き付けた余長収納用品本体１１を折りたたむことができる。
【００３７】
すなわち、例えば棒状部材１３が上下２本設けられているとき、可動部４１によって境界４２で枠１２，１２を折りたたむとすると、棒状部材１３，１３に巻き付けられた両端に光コネクタが設けられた光ファイバケーブル又は光ファイバコード１６は矢印Ｃ方向に移動することにより、両端に光コネクタが設けられた光ファイバケーブル又は光ファイバコード１６を破損することなく枠１２，１２を折りたたむことが可能になり、さらにコンパクトにすることが可能となっている。
【００３８】
図７は本発明の他の実施形態に係る余長収納用品を示す構成説明図である。図７において、５１は余長収納用品容器、５２は余長収納用品蓋、５３は固定バンド、５４は雄型スナップボタン、５５は雌型スナップボタン、５６，５７はスリット、５８は軸、５９は余長収納用品伸縮機構、６０は余長収納用品本体である。
【００３９】
図７に示すように、有底四角筒状の余長収納用品容器５１の開口部には余長収納用品蓋５２が一側端を軸５８により回動可能に取り付けられる。前記余長収納用品蓋５２で余長収納用品容器５１の開口部を塞いだ際、余長収納用品容器５１の下部及び上部にはそれぞれスリット５６，５７が設けられるように切り込みが設けられる。前記余長収納用品蓋５２には固定バンド５３が取り付けられ、前記固定バンド５３には雄型スナップボタン５４が設けられる。前記余長収納用品蓋５２を閉じた際、前記雄型スナップボタン５４が届く位置の余長収納用品容器５１には雌型スナップボタン５５が設けられる。前記余長収納用品容器５１内には両端に光コネクタが設けられた光ファイバケーブル又は光ファイバコード１６の余長が巻き付けられる余長収納用品本体６０が収納される。前記余長収納用品本体６０と余長収納用品容器５１は余長収納用品伸縮機構５９により接続されており、余長収納用品伸縮機構５９が伸縮することで、余長収納用品本体６０が余長収納用品容器５１から飛び出る機構となっている。
【００４０】
また、余長収納用品容器５１と余長収納用品蓋５２は軸５８により接続されており、軸５８を中心に開閉する機構となっている。この余長収納用品蓋５２を余長収納用品容器５１に閉じたとき、余長収納用品蓋５２が余長収納用品容器５１から開放しないように、余長収納用品蓋５２に設けられた固定バンド５３にある雄型スナップボタン５４を余長収納用品容器５１に設けられた雌型スナップボタン５５で閉じることによって開放されないようにすることが出来る。前記固定バンド５３、雄型スナップボタン５４、及び雌型スナップボタン５５は余長収納用品蓋５２が余長収納用品容器５１から自由に開閉しないように装着、解除が可能であるストッパとして機能する。
【００４１】
余長収納用品蓋５２を余長収納用品容器５１に閉じた後、両端に光コネクタが設けられた光ファイバケーブル又は光ファイバコード１６は余長収納用品容器５１に設けられたスリット５６，５７を利用して余長収納用品容器５１から外部へ取り出されるようになっている。
【００４２】
図８は本発明の他の実施形態に係る余長収納用品本体を示す構成説明図である。図８において、６１は巻き付け用溝、６２は巻き付け用凹みである。
【００４３】
図８に示すように、余長収納用品本体６０は六面体であり、内部が空洞であり、この空洞中に余長収納用品伸縮機構５９が収納されている。
【００４４】
前記余長収納用品伸縮機構５９と余長収納用品容器５１が接続されている側の余長収納用品本体６０の側面は開放されている形状となっている。
【００４５】
また、余長収納用品本体６０の開放されている面と直交する２つの側面である余長収納用品本体６０の外周囲には、両端に光コネクタが設けられた光ファイバケーブル又は光ファイバコード１６を巻き付けやすいように巻き付け用溝６１が設けられており、前記巻き付け用溝６１を利用して両端に光コネクタが設けられた光ファイバケーブル又は光ファイバコード１６を巻き付けることによって、余長収納用品本体６０に一定の幅で両端に光コネクタが設けられた光ファイバケーブル又は光ファイバコード１６を巻きつけることが出来る。
【００４６】
前記余長収納用品本体６０の側面は巻き付けた両端に光コネクタが設けられた光ファイバケーブル又は光ファイバコード１６を破損しないように四隅の光ファイバケーブル又は光ファイバコード１６が接触する部分が面取りされており、その四隅は例えばコアの周囲に空孔が設けられたホーリーファイバよりなる光ファイバ素線だとすると、曲げ半径が５ｍｍ以上であるようになっている。
【００４７】
尚、前記曲げ半径は両端に光コネクタが設けられた光ファイバケーブル又は光ファイバコード１６の内部に収納された光ファイバ素線によっては５ｍｍ以上でなくてもかまわない。
【００４８】
余長収納用品本体６０に巻き付けた両端に光コネクタが設けられた光ファイバケーブル又は光ファイバコード１６は余長収納用品本体６０から脱落しないようにその側面が半円状の凹みである巻き付け用凹み６２が設けられている。
【００４９】
図９は本発明の他の実施形態に係る余長収納用品伸縮機構を示す構成説明図である。図９に示すように、余長収納用品本体６０は余長収納用品伸縮機構５９を備え、余長収納用品伸縮機構５９により余長収納用品容器５１から余長収納用品本体６０を飛び出すようになっており、両端に光コネクタが設けられた光ファイバケーブル又は光ファイバコード１６の余長を収納する際の作業効率を向上させるようになっている。
【００５０】
前記余長収納用品伸縮機構５９はパンタグラフ構成になっており、余長収納用品容器５１の内壁に固定され、矢印Ｄ方向へ伸びるようになっており、余長収納用品容器５１の内壁と逆側の余長収納用品本体６０の側面を押し出すように余長収納用品容器５１を飛び出す機構となっている。前記余長収納用品伸縮機構５９は略菱形の各交点が回動自在に取り付けられ、発条体により矢印Ｄ方向へ力が加えられるように構成してもよい。
また、前記余長収納用品伸縮機構５９は伸縮式ロッドのような構成になっており、それを伸縮式ロッド部６３とすると、伸縮式ロッド部６３は余長収納用品容器５１の内壁に固定され、矢印Ｆ方向へ伸縮式ロッド部６３が段階的に伸びるようになっており、例えば図９（ｂ）に示すように余長収納用品容器５１の内壁の四隅に伸縮式ロッド部６３を４つ固定し、前記伸縮式ロッド部６３は伸縮式ロッド部（上）６３１、伸縮式ロッド部（中）６３２、伸縮式ロッド部（下）６３３の３部分から構成されるとすると、伸縮式ロッド部（上）６３１を伸縮式ロッド部（中）６３２から引出す第一段階、伸縮式ロッド部（中）６３２を伸縮式ロッド部（下）６３３から引出す第二段階によって、余長収納用品容器５１から引出すことができ、前記段階と逆の段階を行うことで、余長収納用品伸縮機構５９を余長収納用品容器５１に収納することができる。
尚、伸縮式ロッド部６３は余長収納用品容器５１の内壁の四隅だけでなく、余長収納用品本体６０を支えることができるならば、特に数量は限定しない。
また、伸縮式ロッド部６３は前記実施形態で３段（上、中、下）となっているが、これは必要な長さに応じて変更が可能である。
【００５１】
図１０（ａ），（ｂ）は本発明の他の実施形態に係る余長収納用品の取扱いを示す構成説明図である。図１０（ａ）に示すように、余長収納用品容器５１には余長収納用品本体６０が余長収納用品伸縮機構５９を介在して収納される。余長収納用品容器５１から余長収納用品蓋５２を開放すると、余長収納用品伸縮機構５９が働き、伸びるため、余長収納用品本体６０は余長収納用品容器５１から飛び出る形になる。
【００５２】
この飛び出た余長収納用品本体６０に、例えば両端に光コネクタが設けられた光ファイバケーブル又は光ファイバコード１６の余長を巻き付けることができる。
【００５３】
図１０（ｂ）に示すように、余長収納用品本体６０に、両端に光コネクタが設けられた光ファイバケーブル又は光ファイバコード１６の余長を巻き付けて収納した後、軸５８を中心に矢印Ｅ方向に、余長収納用品蓋５２を余長収納用品容器５１へ閉じていくことによって、余長収納用品本体６０は余長収納用品伸縮機構５９が縮むと同時に、余長収納用品容器５１内へ収納され、余長収納用品蓋５２に設けられた固定バンド５３に設けられた雄型スナップボタン５４を余長収納用品容器５１に設けられた雌型スナップボタン５５に装着することで、余長収納用品本体６０を余長収納用品容器５１から脱落しないように収納できる。
【００５４】
余長収納用品本体６０に巻き付けた両端に光コネクタが設けられた光ファイバケーブル又は光ファイバコード１６に関しては、余長収納用品容器５１に設けられたスリット５６，５７から導出可能なようになっており、両端に光コネクタが設けられた光ファイバケーブル又は光ファイバコード１６を自由に利用することができる。
【００５５】
図１１（ａ），（ｂ）は本発明の他の実施形態に係る余長収納用品本体及び余長収納用品伸縮機構の具体例を示す構成説明図である。図１１（ａ）に示すように、例えば余長収納用品本体６０の寸法Ｌ４を２００ｍｍ、寸法Ｌ５を５０ｍｍ、寸法Ｌ６を３０ｍｍとすると、この余長収納用品本体６０の周囲に１０回巻き付けることで５ｍの両端に光コネクタが設けられた光ファイバケーブル又は光ファイバコード１６の余長を余長収納用品本体６０に収納することができる。
【００５６】
図１１（ｂ）に示すように、余長収納用品本体６０に、両端に光コネクタが設けられた光ファイバケーブル又は光ファイバコード１６の余長を５ｍ収納できることが分かっており、余長収納用品本体６０の寸法Ｌ４が２００ｍｍ、寸法Ｌ６が３０ｍｍで決定されているとき、余長収納用品伸縮機構５９の寸法Ｌ７を余長収納用品容器５１から飛び出るような長さ例えば、６０ｍｍとし、そのときの角度θを１２０度とすると、寸法Ｌ８は５０ｍｍ、寸法Ｌ９は２０ｍｍとなり、余長収納用品伸縮機構５９を折りたたんだ寸法Ｌ１０は８５ｍｍとなるため、余長収納用品本体６０の内部に収納することが可能である。
図１２は本発明の他の実施形態に係る余長収納用品本体及び余長収納用品伸縮機構の他の具体例を示す構成説明図である。図１２に示すように、余長収納用品本体６０に、両端に光コネクタが設けられた光ファイバケーブル又は光ファイバコード１６の余長を５ｍ収納できることが分かっており、余長収納用品本体６０の寸法Ｌ４が２００ｍｍ、寸法Ｌ６が３０ｍｍで決定されているとき、余長収納用品伸縮機構５９の伸縮式ロッド部６３の１つの部分である伸縮式ロッド部（下）６３３の寸法Ｌ１２を３０ｍｍとすると、伸縮式ロッド部（中）６３２の寸法Ｌ１３及び伸縮式ロッド部（上）６３１の寸法Ｌ１４も３０ｍｍとなる。
前記伸縮式ロッド部６３を全て伸ばした時の寸法Ｌ１１は９０ｍｍとなり、余長収納用品伸縮機構５９が余長収納用品容器５１から飛び出るような長さを得ることができ、伸縮式ロッド部６３を全て縮めた状態で余長収納用品伸縮機構５９の内部に収納することが可能である。
【００５７】
尚、前記実施形態の寸法は、伸縮機能を満たし、余長収納用品本体６０の内部に収納できるならば、上記の限りではない。
【００５８】
以上のように、余長収納用品は余長収納用品本体と容器の２つの部分から構成され、余長収納用品本体と容器が分離した分離型と、余長収納用品本体と容器が一体の一体型のものがある。
【００５９】
余長収納用品本体と容器が分離した余長収納用品として、余長収納用品本体は梯子形状をしており、少なくとも２つ以上の段を固定するための２つの枠から構成され、その段は両端に光コネクタが設けられた光ファイバケーブル又は光ファイバコードを巻き付けた際に、その内部の光ファイバ素線が、例えばコアの周囲に空孔を設けたホーリーファイバよりなる光ファイバだとすると、曲げ半径５ｍｍ以上の大きさを確保できる棒状部材である。
【００６０】
この余長収納用品本体に両端に光コネクタが設けられた光ファイバケーブル又は光ファイバコードの外被を除去しないで収納するために、そのまま光ファイバケーブル又は光ファイバコードを枠にある一方のストッパで保持して、余長収納用品本体の最外の段と段に巻き付け、もう一方のストッパで保持する収納方式の収納構造とする。
【００６１】
また、この余長収納用品本体は対称でありどちらから巻き付けても同じような結果が得られるため、巻き付け作業による失敗が低下するとともに、光ファイバ素線に直接触れないため、余長収納時の光ファイバ素線の破損を防ぐことが出来る。
【００６２】
余長収納用品容器の上下面には余長収納用品本体に巻き付けた両端に光コネクタが設けられた光ファイバケーブル又は光ファイバコードを通過させるためのスリットを設け、余長収納用品容器の側面には余長収納用品本体を挿入するための挿入口を設け、余長収納用品容器には余長収納用品容器が余長収納用品本体から脱落しないように容器ストッパが設けられる。余長収納用品容器の挿入口から余長収納用品本体を挿入することで、余長収納用品本体及び余長収納用品本体に巻き付けられた両端に光コネクタが設けられた光ファイバケーブル又は光ファイバコードを保護し、容器ストッパで挿入口を覆うことで、余長収納用品容器が余長収納用品本体から脱落することも防ぐことができる。
【００６３】
また、余長収納用品本体と余長収納用品容器が一体の余長収納用品として、余長収納用品本体は四隅が面取りされており、余長収納用品本体に巻きつけた両端に光コネクタが設けられた光ファイバケーブル又は光ファイバコードに対してその内部に収納されている光ファイバ素線が例えば、コアの周囲に空孔が設けられたホーリーファイバよりなる光ファイバ素線であるとすると曲げ半径５ｍｍ以上を確保できる構造となっている。
【００６４】
この余長収納用品本体には、パンタグラフ状の伸縮機構が備えられ、パンタグラフ状の伸縮機構により、余長収納用品容器から余長収納用品本体を取り出し、余長収納用品本体へ両端に光コネクタが設けられた光ファイバケーブル又は光ファイバコードを収納することができる。
【００６５】
余長収納用品容器は余長収納用品本体を収納でき、収納した余長収納用品本体から両端に光コネクタが設けられた光ファイバケーブル又は光ファイバコードを取り出すためのスリットを備えている。
【００６６】
この余長収納用品容器と軸で余長収納用品蓋が備えられており、余長収納用品蓋を開閉することで余長収納用品本体を余長収納用品容器内へ収納することができる。
【００６７】
閉じた余長収納用品蓋が開放されないように、余長収納用品蓋及び余長収納用品容器にストッパが備えられており、ストッパを利用することで、余長収納用品蓋が開放されないようにする。
【００６８】
このように、余長収納用品本体を余長収納用品本体に備えられている伸縮機構を利用することで余長収納用品容器外へ引き出し、余長収納用品容器と余長収納用品蓋を利用して余長収納用品本体を収納することで、余長収納用品本体に巻き付けた両端に光コネクタが設けられた光ファイバケーブル又は光ファイバコードを保護することができる。
【００６９】
なお、本発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００７０】
【図１】本発明の一実施形態に係る余長収納用品本体を示す構成説明図である。
【図２】本発明の一実施形態に係る余長収納用品容器を示す構成説明図である。
【図３】本発明の一実施形態に係る余長収納用品を示す構成説明図である。
【図４】本発明の一実施形態に係る棒状部材を示す構成説明図である。
【図５】本発明の一実施形態に係る余長収納用品本体の具体例を示す構成説明図である。
【図６】本発明の一実施形態に係る余長収納用品本体の他の例を示す構成説明図である。
【図７】本発明の他の実施形態に係る余長収納用品を示す構成説明図である。
【図８】本発明の他の実施形態に係る余長収納用品本体を示す構成説明図である。
【図９】本発明の他の実施形態に係る余長収納用品伸縮機構を示す構成説明図である。
【図１０】本発明の他の実施形態に係る余長収納用品の取扱いを示す構成説明図である。
【図１１】本発明の他の実施形態に係る余長収納用品本体及び余長収納用品伸縮機構の具体例を示す構成説明図である。
【図１２】本発明の他の実施形態に係る余長収納用品本体及び余長収納用品伸縮機構の他の具体例を示す構成説明図である。
【符号の説明】
【００７１】
１１…余長収納用品本体、１２…長方形板よりなる枠、１３…円柱体の棒状部材、１４，１５…ストッパ，１６…光ファイバケーブル又は光ファイバコード、２１…余長収納用品容器、２２…挿入口、２３，２４…スリット、２５…容器ストッパ、２６…ストッパホルダ、３１…グリッド部、３２…谷部、４１…可動部、４２…境界、５１…余長収納用品容器、５２…余長収納用品蓋、５３…固定バンド、５４…雄型スナップボタン、５５…雌型スナップボタン、５６，５７…スリット、５８…軸、５９…余長収納用品伸縮機構、６０…余長収納用品本体、６１…巻き付け用溝、６２…巻き付け用凹み。
【図１】
2009128528.tif 000003
【図２】
2009128528.tif 000004
【図３】
2009128528.tif 000005
【図４】
2009128528.tif 000006
【図５】
2009128528.tif 000007
【図６】
2009128528.tif 000008
【図７】
2009128528.tif 000009
【図８】
2009128528.tif 000010
【図９】
2009128528.tif 000011
【図１０】
2009128528.tif 000012
【図１１】
2009128528.tif 000013
【図１２】
2009128528.tif 000014